(57)【要約】【課題】利用者が視聴希望した番組と同一グループの番組がループ記録されていた場合に、容易にループ記録の上書き消去から保護することができる記録再生装置を提供する。【解決手段】記録再生装置は、所定の第１の記録容量を有する第１の記録領域に放送番組をループ記録する第１の記録モジュールと、所定の第２の記録容量を有する第２の記録領域に放送番組を記録する第２の記録モジュールと、前記第１の記録領域に記録された前記放送番組の記録データを削除されないようにアーカイブ処理するアーカイブ処理モジュールと、録画予約された放送番組と同一グループの放送番組が前記第１の記録領域に記録されていたかを判定する判定モジュールと、前記アーカイブ処理モジュールに前記第１の記録領域に記録されていた前記録画予約された放送番組と同一グループの放送番組の記録データをアーカイブ処理させる制御モジュールとを有する。【選択図】図２
2013207787.tif 000002
【特許請求の範囲】
【請求項１】
所定の第１の記録容量を有する第１の記録領域に放送番組を記録し、記録する前記放送番組の記録データの容量が前記第１の記録容量を超えると自動的に記録時期の古い記録データから順次削除してループ記録する第１の記録モジュールと、
所定の第２の記録容量を有する第２の記録領域に放送番組を記録する第２の記録モジュールと、
前記第１の記録領域に記録された前記放送番組の記録データを削除されないようにアーカイブ処理するアーカイブ処理モジュールと、
利用者によって録画予約された放送番組が前記第２の記録領域に録画予約されたとき、前記録画予約された放送番組と同一グループの放送番組が前記第１の記録領域に記録されていたかを判定する判定モジュールと、
前記判定モジュールによって前記録画予約された放送番組と同一グループの放送番組が前記第１の記録領域に記録されていたと判定された場合には、前記アーカイブ処理モジュールに前記第１の記録領域に記録されていた前記録画予約された放送番組と同一グループの放送番組の記録データをアーカイブ処理させる制御モジュールと
を有する記録再生装置。
【請求項２】
前記アーカイブ処理モジュールは、前記第１の記録領域に記録された前記放送番組の記録データを前記第２の記録領域にコピーまたは移動してアーカイブ処理する請求項１に記載された記録再生装置。
【請求項３】
前記アーカイブ処理モジュールは、前記第１の記録領域に記録された前記放送番組の記録データについて削除禁止を設定してアーカイブ処理する請求項１に記載された記録再生装置。
【請求項４】
前記制御モジュールは、前記判定モジュールによって前記録画予約された放送番組と前記同一グループの放送番組が前記第１の記録領域に記録されていたと判定された場合で、かつ前記録画予約された放送番組と前記同一グループの放送番組の記録データがアーカイブ処理されていない場合には、前記アーカイブ処理モジュールによって前記第１の記録領域に記録されていた前記録画予約された放送番組と同一グループの放送番組の記録データをアーカイブ処理させる請求項１に記載された記録再生装置。
【請求項５】
前記制御モジュールは、前記録画予約された放送番組が前記第２の記録領域に録画予約され既に放送開始された放送途中の放送番組であって、前記判定モジュールによって前記録画予約された放送番組が前記第１の記録領域に記録されていたと判定された場合には、前記アーカイブ処理モジュールによって前記第１の記録領域に記録された前記録画予約された放送番組の記録データを番組開始時からアーカイブ処理させる請求項１に記載された記録再生装置。
【請求項６】
前記第１の記録モジュールは、利用者によって録画指定された１個または複数のチャンネルの放送番組を録画指定された複数の異なる時間帯に亘ってループ記録する請求項１に記載された記録再生装置。
【発明の詳細な説明】
【技術分野】
【０００１】
本発明の実施形態は、デジタル放送を受信し受信した放送番組の記録および再生が可能な記録再生装置に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＧ（Electronic Program Guide））の仕組みが備えられており、約１週間先までの番組表が表示でき、放送時間や出演者など、番組内容の表示や知りたい情報の検索、番組の視聴予約や録画予約を行うことができる。
【０００３】
放送番組の中で、同一グループ番組あるいは連続番組と呼ばれる５話、１０話などに分けて放送される形態の放送番組がある。連日放送されるものもあれば、週に１回放送されるものもあり、毎日あるいは毎週ほぼ定められた時間に放送される。所謂続き物と言われるような連続ドラマや連続アニメは２話目、３話目になって注目されることがあり、このような場合には３話目を見た後で１話目、２話目も見たい場合がある。このため同一グループ番組をできるだけ揃えるために追加録画できるようにする工夫が為された記録再生装置が考案されている。
【先行技術文献】
【特許文献】
【０００４】
【特許文献１】特開２００２−５７９６９号公報
【発明の概要】
【発明が解決しようとする課題】
【０００５】
ループ記録は、記録再生装置の記録装置に固定的な領域を確保し、その固定的な領域内で通常の記録とは独立して上書き記録を繰り返す記録方式である。ループ記録の領域は、記録装置内で通常の記録用の領域と別に設けられる場合や、記録装置の記録領域全体をループ記録の領域とする場合がある。ループ記録領域に記録が開始され、ループ記録領域の終点まで記録が進むと、ループ記録領域の始点に戻って続きの記録を続行する。よって、ループ記録で記録した記録データは記録時期が古い番組から順に上書き消去される。
【０００６】
ループ記録で記録した記録データは記録時期が古い番組から順に上書き消去されるが、たとえ未再生の番組であっても時間の経過と共に上書き消去されてしまう。そのため、例えば、利用者が視聴したい同一グループ番組について、利用者の容易な操作によって上書き消去から番組を保護することができる記録再生装置が望まれている。
【０００７】
本発明の目的は、上記したような事情に鑑み成されたものであって、利用者が視聴希望した放送番組と同一グループの放送番組が、ループ記録で記録された記録領域に記録されていた場合に、容易にループ記録の上書き消去から同一グループの放送番組の記録データを保護することができる記録再生装置を提供することである。
【課題を解決するための手段】
【０００８】
上記目的を達成するために、実施形態によれば、記録再生装置は、所定の第１の記録容量を有する第１の記録領域に放送番組を記録し、記録する前記放送番組の記録データの容量が前記第１の記録容量を超えると自動的に記録時期の古い記録データから順次削除してループ記録する第１の記録モジュールと、所定の第２の記録容量を有する第２の記録領域に放送番組を記録する第２の記録モジュールと、前記第１の記録領域に記録された前記放送番組の記録データを削除されないようにアーカイブ処理するアーカイブ処理モジュールと、利用者によって録画予約された放送番組が前記第２の記録領域に録画予約されたとき、前記録画予約された放送番組と同一グループの放送番組が前記第１の記録領域に記録されていたかを判定する判定モジュールと、前記判定モジュールによって前記録画予約された放送番組と同一グループの放送番組が前記第１の記録領域に記録されていたと判定された場合には、前記アーカイブ処理モジュールに前記第１の記録領域に記録されていた前記録画予約された放送番組と同一グループの放送番組の記録データをアーカイブ処理させる制御モジュールとを有する。
【図面の簡単な説明】
【０００９】
【図１】実施形態に係わる記録再生装置の外観斜視図。
【図２】実施形態に係わる記録再生装置の構成を示したブロック図。
【図３】実施形態に係わるリモコンの外観図。
【図４】蓄積記録のチャンネルと時間帯の例を示した図。
【図５】画面に番組表が表示された状態を示した図。
【図６】画面に録画予約表が表示された状態を示した図。
【図７】録画予約におけるアーカイブ処理の動作手順を示したフローチャート。
【発明を実施するための形態】
【００１０】
以下実施形態について図面を参照しながら説明する。図１は、実施形態に係る記録再生装置１の概観斜視図である。記録再生装置１は、デジタル放送を受信し、受信した放送番組の記録および再生が可能であって、画面に放送番組の映像を表示するデジタルテレビ等の記録再生装置である。あるいは、デジタル放送を受信し、受信した放送番組の記録および再生が可能なＤＶＤ（Digital Versatile Disc）レコーダやBlu-ray（登録商標）レコーダ等であってもよい。
【００１１】
記録再生装置１は、筐体２と、筐体２を支持するスタンド３を備えている。筐体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１２】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示パネル４の前面カバー５の窓部５ａの内側の表示部分である。
【００１３】
リモコン８は赤外線あるいはBluetooth（登録商標）等による無線通信を利用して、記録再生装置１の操作受信部へ操作信号を送る操作機器である。
【００１４】
図２は、実施形態に係る記録再生装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理モジュール１４に出力される。また、復調器１３は、ネットワーク送受信モジュール３２を介してインターネット等のネットワーク３３から受信したＩＰ放送を復調する。
【００１６】
デコード処理モジュール１４は、ＭＰＥＧデコーダ、映像音声デコーダ等の機能を有する。デコード処理モジュール１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１７】
また、デコード処理モジュール１４は、記録装置ａ２６及び記録装置ｂ２７から入力された映像データ及び音声データをデコードする。更に、デコード処理モジュール１４は、外部装置３１から入力された映像データ及び音声データをデコードする機能を有する。
【００１８】
重畳処理モジュール１５は、デコード処理モジュール１４からの映像データと、バス２０を介して転送されるデータ放送やＧＵＩ（Graphical User Interface）情報によるウィンドウ描画をプレーン管理して、映像データとの重ね合わせを行い、映像処理モジュール１６に送る。
【００１９】
映像処理モジュール１６は、表示装置１７で表示可能なフォーマット（画素数、フレーム周波数、走査方式）に変換したり、表示色を任意に調整したりして、表示装置１７に出力して映像を画面７に表示させる。
【００２０】
音声処理モジュール１８は、デコード処理モジュール１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９は記録再生装置１の外部にあってもよい。また、記録再生装置１と別の筐体に納められていてもよい。
【００２１】
記録再生装置１は、上記した受信動作を含むその全ての動作を制御モジュール２１によって統括的に制御されている。制御モジュール２１はＭＰＵ（Micro Processing Unit）２２が搭載されており、バス２０を介して接続された各構成要素を制御する。
【００２２】
ＲＡＭ（Random Access Memory）２３は、制御モジュール２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２３】
フラッシュメモリ２５は、書き換え可能であり、電源を切ってもデータが消えない不揮発性のメモリである。フラッシュメモリ２５は、利用者によって設定された記録再生装置１の機能及び動作に関する各種設定値を記憶する機能を有する。また、フラッシュメモリ２５は、放送番組の番組情報３９ａ、記録予約情報３９ｂ、記録済み番組情報３９ｃ等を記憶する機能を有する。
【００２４】
記録装置ａ２６及び記録装置ｂ２７は、ＨＤＤ（Hard Disk Drive）、ＳＳＤ（Solid State Drive）あるいはＯＤＤ（Optical Disc Drive）等を含む記録手段である。記録装置ａ２６及び記録装置ｂ２７には、情報を記録再生するためのエンコーダとデコーダが搭載されており、該エンコーダとデコーダを介してＭＰＥＧ２−ＴＳデータが記録装置ａ２６及び記録装置ｂ２７の記録再生形態に適したフォーマットに変調されＨＤＤ、ＳＳＤあるいはＯＤＤに記録され、また復調されて再生される。この再生データは、デコード処理モジュール１４でデコードされる。
【００２５】
記録装置ａ２６及び記録装置ｂ２７は、例えば、ＨＤＤである場合、２個の別のＨＤＤであってもよいし、または、１個のＨＤＤにおいて内部で別のパーティションによって分けられていてもよい。記録装置ａ２６は、所定の第１の記録容量を有する第１の記録領域を有する。また、記録装置ｂ２７は、所定の第２の記録容量を有する第２の記録領域を有する。第１の記録容量は、例えば、数十ＧＢ（Gigabyte）から数テラＢ（Terabyte）である。また、第２の記録容量は、例えば、数十ＧＢから数テラＢである。
【００２６】
操作受信モジュール２８は、操作機器２９から送信される操作信号を受信し、制御モジュール２１に転送する。操作機器２９は、例えば、赤外線あるいはBluetooth（登録商標）等による無線通信を利用したリモコン（リモートコントローラ、remote controller）８、有線式あるいは無線式キーボード等であり、操作信号を送出する。操作受信モジュール２８は、これらリモコン８やキーボード等から操作信号を受信する。
【００２７】
外部インターフェース３０は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置３１が接続される。外部装置端子３０ａは外部装置３１が接続される端子である。
【００２８】
記録再生装置１は、外部インターフェース３０を介して外部装置３１に放送番組を記録することができる。記録装置ｂ２７または外部装置３１のどちらに記録するかを利用者が選択できる。また、記録再生装置１は、外部装置３１に記録された映像または音声情報を再生することができる。
【００２９】
記録再生装置１は、ネットワーク送受信モジュール３２を介してインターネット等のネットワーク３３に接続されている。これにより、記録再生装置１は、ネットワーク３３上にあるサーバ３４等の機器とネットワーク送受信モジュール３２を介して情報伝送を行なうことができる。ネットワーク端子３２ａはネットワーク３５が接続される端子である。ネットワーク送受信モジュール３２とネットワーク３３の接続は有線だけでなく、例えば、ＩＥＥＥ８０２．１１シリーズの通信方式を用いた無線ＬＡＮ等の無線接続であってもよい。
【００３０】
図２において、制御モジュール２１は、第１の記録モジュール３５、第２の記録モジュール３６、アーカイブ処理モジュール３７、判定モジュール３８の機能を有する。これらの機能は、制御モジュール２１のＭＰＵ２２が実行するアプリケーションであり、通常はＲＯＭ２４に格納されており、使用時にはＭＰＵ２２によって読み出され実行される。
【００３１】
第１の記録モジュール３５は、所定の第１の記録容量を有する第１の記録領域に放送番組を記録し、記録する放送番組の記録データの容量が第１の記録容量を超えると自動的に記録時期の古い記録データから順次削除してループ記録する機能を有する。第１の記録モジュール３５は、所定の第１の記録容量を有する第１の記録領域を備えた記録装置ａ２６に、放送番組を記録する。
【００３２】
ループ記録は、記録再生装置１の記録装置について所定の記録容量を有する記録領域を確保し、その記録領域内で通常の記録とは独立して上書き記録を繰り返す記録方式である。ループ記録の記録領域は、記録装置内で通常の記録用の記録領域と別に設けられる場合や、記録装置内の記録領域全体をループ記録の領域とする場合がある。ループ記録の記録領域に記録が開始され、記録領域の終点まで記録が進むと、記録領域の録画経過時間の始点に戻って続きの記録を続行する。よって、ループ記録で記録した記録データは、記録時期が古い番組から順に上書き記録によって消去される。
【００３３】
第２の記録モジュール３６は、所定の第２の記録容量を有する第２の記録領域に放送番組を記録する機能を有する。第２の記録モジュール３６は、所定の第２の記録容量を有する第２の記録領域を備えた記録装置ｂ２７に放送番組を記録する。また、第２の記録モジュール３６は、所定の第２の記録容量を有する第２の記録領域を備えた外部装置３１に放送番組を記録する場合もある。
【００３４】
アーカイブ処理モジュール３７は、第１の記録モジュール３５によって前記第１の記録領域に記録された放送番組の記録データを削除されないようにアーカイブ処理する機能を有する。アーカイブ処理モジュール３７は、第１の記録領域に記録された放送番組の記録データを第２の記録領域にコピーまたは移動してアーカイブ処理する。また、所定の第２の記録容量を有する第２の記録領域を外部装置３１に設けて、第１の記録領域に記録された放送番組の記録データを、外部インターフェース３０を介して外部装置３１にコピーまたは移動してアーカイブ処理する。あるいは、アーカイブ処理モジュール３７は、第１の記録領域に記録された放送番組の記録データについて削除禁止を設定してアーカイブ処理する。
【００３５】
判定モジュール３８は、利用者が放送番組を録画予約する際、利用者によって新たに録画予約された放送番組が第２の記録領域に録画予約されたとき、あるいは、利用者によって新たに録画予約された放送番組とこの放送番組と同一グループの放送番組がまとめて録画予約されたとき、録画予約された放送番組と同一グループの放送番組が第１の記録領域に記録されていたかを判定する機能を有する。同一グループの放送番組とは、５話、１０話などに分けて放送される放送番組である。連続番組とかシリーズ番組とも呼ばれる。連日放送されるものもあれば、週に１回放送されるものもあり、毎日あるいは毎週ほぼ定められた時間に放送される。
【００３６】
放送番組の番組情報（放送局名、放送日時、番組名、放送概要、出演者、番組詳細、番組分類等）の中に同一グループの放送番組であるかを示す情報が含まれている。判定モジュール３８は、フラッシュメモリ２５に記憶された番組情報を使用して、利用者によって第２の記録領域に録画予約された放送番組の番組情報と、第１の記録領域に記録されていた放送番組の番組情報とを比較し、録画予約された放送番組と同一グループの放送番組が第１の記録領域に記録されていたかを判定する。
【００３７】
図３は、実施形態に係わるリモコン８の外観図である。リモコン８は赤外線あるいはBluetooth（登録商標）等による無線通信を利用して、記録再生装置１の操作受信モジュール２８へ操作信号を送る。電源ボタン４０は、記録再生装置１の電源をオンまたはオフする。詳細には記録再生装置１を待機状態から動作状態、または動作状態から待機状態にするボタンである。放送波選択ボタン４１は、放送の種類を選択する操作ボタンである。
【００３８】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００３９】
カーソルボタン４５は画面７に表示されたＧＵＩ画面の各種の情報ウィンドウ内のカーソルの移動や各種項目の選択ボタンの移動を行うためのボタンである。カーソルボタン４５は十字ボタン、方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００４０】
番組表ボタン４７は、番組表を画面７に表示するときに操作する専用の操作ボタンである。メニューボタン４８は、記録再生装置１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。
【００４１】
４色の色ボタン５１は、左から青ボタン５１ａ、赤ボタン５１ｂ、緑ボタン５１ｃ、黄ボタン５１ｄの順に配置されている。画面７上に色により区別された項目や色による選択の表示があるときに使用する。記録装置操作ボタン５２は、記録装置ａ２６、記録装置ｂ２７、あるいは外部装置３１に記録された番組を再生する際に、再生、停止、一時停止、早送り再生、早戻し再生、次番組スキップ、先頭戻り・前番組スキップするためのボタンである。
【００４２】
タイムシフト表示ボタン５３は、画面７に第１の記録領域に記録された放送番組の番組表を表示するときに使用する操作ボタンである。このタイムシフト表示ボタン５３を押下して過去番組表を表示させて、カーソルボタン４５で番組を選択し、決定ボタン４６で決定することによって、第１の記録領域に記録された過去の放送番組を視聴することができる。
【００４３】
次に、第１の記録モジュール３５が、記録装置ａ２６に対して行う放送番組の記録と、第２の記録モジュール３６が、記録装置ｂ２７に対して行う放送番組の記録について説明する。
【００４４】
第１の記録モジュール３５は、所定の第１の記録容量を有する第１の記録領域を備えた記録装置ａ２６に、放送番組を記録するが、第１の記録モジュール３５は、利用者によって録画指定された１個または複数のチャンネルの放送番組を録画指定された複数の異なる時間帯に亘ってループ記録する。この記録方式を蓄積記録と称する。
【００４５】
蓄積記録を利用する際、利用者が、リモコン８のメニューボタン４８を押下し、設定メニュー内の蓄積記録設定を選択し決定ボタン４６を押下すると、蓄積記録したいチャンネルの設定メニューと、蓄積記録したい時間帯の設定メニューが順次表示され、選択後決定ボタン４６を押下するとの蓄積記録が設定される。
【００４６】
図４は、記録装置ａ２６に録画設定された蓄積記録のチャンネルと時間帯の例を示した図である。図４においては、例として、５月１３日（木）の午前４時から５月１４日（金）午前３時５９分までの各受信チャンネルの番組を示している。尚、図面の簡単化のため、番組名については其々の番組名を記載せず、簡略化して表示している。
【００４７】
図４においては、例として、５月１３日（木）の午前１０時から午後１時までの３時間について、１、２、４、５、６、８チャンネルの放送番組を蓄積記録することを示している。また、午後６時から翌日の午前０時までの６時間について、１、２、４、５、６、８チャンネルの放送番組を蓄積記録することを示している。上記した時間帯とチャンネルを網掛けと太い線で囲まれた部分で示している。これらの複数のチャンネルと複数の異なる時間帯について曜日毎に設定することができる。設定するチャンネルは１個でもよい。
【００４８】
第１の記録モジュール３５によって録画設定されたチャンネルと時間帯について、第１の記録領域の範囲で自動的にループ記録される。第１の記録領域の終点まで蓄積記録が進むと、ループ記録領域の始点に戻って続きの記録を続行する。蓄積記録の記録データは記録時期が古い番組から順に上書き消去される。蓄積記録された記録情報はフラッシュメモリ２５の記録済み番組情報３９ｃに記憶される。
【００４９】
利用者が、記録装置ａ２６に蓄積記録された録画番組を視聴する場合は、リモコン８のタイムシフト表示ボタン５３を押下し、画面７に過去番組表を表示させてからカーソルボタン４５で番組を選択し、決定ボタン４６で決定することによって過去の放送番組を視聴することができる。
【００５０】
第２の記録モジュール３６は、所定の第２の記録容量を有する第２の記録領域を備えた記録装置ｂ２７に、放送番組を記録する。第２の記録モジュール３６は、ループ記録ではない通常の記録を行う。利用者が第２の記録領域に録画予約をする際、画面７に番組表を表示し、この中から放送番組を選択して設定する。
【００５１】
図５は、画面７に番組表６０が表示された状態を示した図である。番組表６０は、リモコン８の番組表ボタン４７を押下することにより表示される。ＥＰＧデータによる番組表６０の表示様態は記録再生装置の機種や放送受信機メーカによって異なっているが、記録再生装置１においては、新聞等におけるテレビ番組欄のように横方向をチャンネル軸、縦方向を時間軸として表示し現在時刻以降に放送される番組が並ぶように表示される。図５においては、５月１３日（木）午前１０時以降の放送番組が表示されている。番組を選択するとその番組の番組名、放送日時以外に、番組のジャンル、出演者や番組内容等の詳細情報が表示される。
【００５２】
ＳＩ情報は映像・音声などと同様にパケット化され、多重されて送信されている。番組情報のデータは、ＳＩ情報のＥＩＴ(Event Information Table)に含まれており、デコード処理モジュール１４から出力された情報を制御モジュール２１が解析してプログラムに従って番組表６０を生成し、制御モジュール２１が番組表のＧＵＩ画面を生成する。生成されたＧＵＩ画面は、重畳処理モジュール１５、映像処理モジュール１６を経て画面７に表示される。番組情報のデータは、フラッシュメモリ２５の番組情報メモリ３９ａに記憶されている。
【００５３】
図５においては、５月９日の午後８時３０分において、５月１３（木）の午前１０時から午後３時５９分までの６時間に亘る時間帯について、１〜８チャンネルの８チャンネル分が表示されている。カーソルを移動することによって時間帯、チャンネルを変更することができる。視聴者は、番組表６０を見ながら、チャンネルと時間を指定して録画指定することができる。
【００５４】
利用者が、例えば、５月１３日（木）の午前１０から４チャンネル（ＭＲＮＶ放送局）で放送されるドラマの番組６１を記録（録画）予約する場合には、リモコン８のカーソルボタン４５で番組６１を選択し、決定ボタン４６で決定する。図５においては番組６１を網掛けで示している。
【００５５】
図６は、画面７に録画予約表６２が表示された状態を示した図である。利用者が、録画予約したい放送番組をリモコン８のカーソルボタン４５で選択し、決定ボタン４６を押下すると、画面７に録画予約表６２が表示される。録画予約表６２には、通常録画予約ボタン６３、グループ録画ボタン６４が備えられている。
【００５６】
通常録画予約ボタン６３は、選択した放送番組、例えば、図５における番組６１を録画予約するときに押下する。グループ録画ボタン６４は、選択した放送番組と選択した放送番組と同一グループの放送番組をまとめて録画予約するときに押下する。例えば、図５における番組６１と番組６１と同一グループの放送番組を一括して録画予約する。このようにして録画予約された放送番組は、第２の記録領域を備えた記録装置ｂ２７に記録される。第２の記録モジュール３６による記録は、ループ記録ではない通常の記録であるので、記録装置ｂ２７に記録された放送番組は、上書き消去されることはない。
【００５７】
次にアーカイブ処理について説明する。アーカイブ処理は、アーカイブ処理モジュール３７が、第１の記録領域に記録された放送番組の記録データをループ記録によって上書き削除されないように削除禁止を設定したり、上書き削除される前に第２の記録領域にコピーあるいは移動したりして、放送番組の記録データを削除されないように保護する処理である。第２の記録領域は、記録装置ｂ２７あるいは外部装置３１に設けられる。
【００５８】
本実施形態においては、アーカイブ処理される放送番組の例としては、利用者がグループ録画ボタン６４を押下して、第２の記録領域に放送番組を記録（録画）予約したとき、この録画予約された放送番組と同一グループの放送番組が第１の記録領域に記録されていた場合に、この第１の記録領域に記録されていた同一グループの放送番組の記録データをアーカイブ処理する。このようにすることによって、利用者が視聴希望した放送番組と同一グループの放送番組が、ループ記録で記録された記録領域に記録されていた場合に、容易にループ記録の上書き消去から同一グループの放送番組の記録データを保護することができる。
【００５９】
図７は、録画予約におけるアーカイブ処理の動作手順を示したフローチャートである。制御モジュール２１は、判定モジュール３８によって、利用者によって録画予約された放送番組と同一グループの放送番組が第１の記録領域に記録されていたと判定された場合には、アーカイブ処理モジュール３７に第１の記録領域に記録されていた録画予約された放送番組と同一グループの放送番組の記録データをアーカイブ処理させる。アーカイブ処理は、利用者が放送番組の録画予約をする際、画面７に番組表６０を表示するためにリモコン８の番組表ボタン４７を押下する行為によって開始される。
【００６０】
Ｓ１１において、制御モジュール２１が、画面７に番組表６０を表示する。Ｓ１２において、制御モジュール２１は、録画予約する放送番組が選択されたかを判定する。録画予約する放送番組が選択されたならば、Ｓ１３へ移り、選択されない場合はＳ１２へ戻る。
【００６１】
Ｓ１３において、制御モジュール２１は、録画予約表６２を画面７に表示する。Ｓ１４において、制御モジュール２１は、通常録画予約またはグループ録画予約のどちらか一方が選択されたかを判定する。どちらか一方が選択されたならば、Ｓ１５へ移り、選択されないならば、Ｓ１４へ戻る。
【００６２】
Ｓ１５において、制御モジュール２１は、利用者によって録画予約された放送番組が、その時点で既に放送開始された放送途中の放送番組であるかを判定する。放送途中であればＳ１６へ移り、放送途中でないならば、Ｓ１８へ移る。
【００６３】
Ｓ１６において、この放送途中の録画対象番組が、第１の記録領域を備えた記録装置ａ２６に、蓄積記録されている途中かを判定する。蓄積記録されている途中ならば、Ｓ１７へ移る。蓄積記録されていないならば、Ｓ１８へ移る。Ｓ１７において、制御モジュール２１は、アーカイブ処理モジュール３７に対して録画対象番組の終了後に第１の記録領域に記録されたこの録画対象番組の記録データを番組開始時からアーカイブ処理させる。
【００６４】
Ｓ１８において、制御モジュール２１は、通常録画予約を設定する。
【００６５】
Ｓ１９において、制御モジュール２１は、Ｓ１４で通常録画予約またはグループ録画予約のどちらが予約選択されたかを判定する。グループ録画予約が選択されたならば、Ｓ２０へ移る。通常録画予約が選択されたならば終了する。
【００６６】
Ｓ２０において、制御モジュール２１は、グループ録画予約を設定する。
【００６７】
Ｓ２１において、判定モジュール３８は、録画対象番組と同一グループの放送番組が第１の記録領域（記録装置ａ２６）に記録されていたかを判定する。記録されていたならば、Ｓ２２へ移り、記録されていないならば、終了する。
【００６８】
Ｓ２２において、制御モジュール２１は、既にアーカイブ処理済みの記録データが第２の記録領域に存在するかを判定する。制御モジュール２１は、同じ放送番組を重複してアーカイブ処理することを避けるため、放送番組が、既に第２の記録領域に記録データが存在するかを判定する。録画予約された放送番組と同一グループの放送番組の記録データがアーカイブ処理されていない場合には、Ｓ２３へ移る。記録データが存在したならば、終了する。
【００６９】
Ｓ２３において、制御モジュール２１は、アーカイブ処理モジュール３７に対して第１の記録領域に記録されていた同一グループの放送番組をアーカイブ処理させる。Ｓ２１において、同一グループの放送番組の記録データが複数存在する場合は、それぞれの放送番組について、Ｓ２２の判定を行い、その結果にしたがってＳ２３の処理を実行する。その後、終了する。
【００７０】
以上のように、利用者が視聴を希望する放送番組をループ記録でない記録領域に録画予約したときに、この放送番組と同一グループの放送番組がループ記録の記録領域に記録されていたならば、ループ記録の記録領域に記録されていた同一グループの放送番組の記録データをアーカイブ処理し、ループ記録の自動削除機能から同一グループの放送番組を保護する。このようにすることによって、利用者が視聴希望した放送番組について、ループ記録の上書き消去から同一グループの放送番組を保護することができる。
【００７１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００７２】
１  記録再生装置
７  画面
８  リモコン
１４  デコード処理モジュール
１５  重畳処理モジュール
１６  映像処理モジュール
１７  表示装置
２１  制御モジュール
２２  ＭＰＵ
２３  ＲＡＭ
２４  ＲＯＭ
２５  フラッシュメモリ
２６  記録装置ａ
２７  記録装置ｂ
２８  操作受信モジュール
２９  操作機器
３０  外部インターフェース
３１  外部装置
３２  ネットワーク送受信モジュール
３３  ネットワーク
３４  サーバ
３５  第１の記録モジュール
３６  第２の記録モジュール
３７  アーカイブ処理モジュール
３８  判定モジュール
４５ａ〜４５ｃ  カーソルボタン
４６  決定ボタン
４７  番組表ボタン
４８  メニューボタン
５３  タイムシフト表示ボタン
６０  番組表
６２  録画予約表
６３  通常録画予約ボタン
６４  グループ録画ボタン
【図１】
2013207787.tif 000003
【図２】
2013207787.tif 000004
【図３】
2013207787.tif 000005
【図４】
2013207787.tif 000006
【図５】
2013207787.tif 000007
【図６】
2013207787.tif 000008
【図７】
2013207787.tif 000009